(57)【要約】【課題】商品見本展示用アタッチメントを用いることなく複数種類の商品見本をディスプレイ台に展示可能な自動販売機の商品見本展示装置を提供する。【解決手段】本体キャビネットの前面を開閉する外扉に形成されたディスプレイ室内に配設され、複数の商品見本８０，８１を嵌合保持する嵌合部が形成されたステージ２１を有するディスプレイ台１を備えた自動販売機の商品見本展示装置において、前記ディスプレイ台１のステージ２１の前方域に突出して前記ステージ２１に形成された嵌合部に嵌合保持される商品見本８０とは異なる商品見本８１を自立して展示する係止部６０を備え、ディスプレイ台１のステージ２１に形成した嵌合部に嵌合させて自立させることのできない商品見本８１であっても商品見本展示用アタッチメントを用いることなくディスプレイ台１に自立して展示可能とする。【選択図】図２
2015026354.tif 000002
【特許請求の範囲】
【請求項１】
本体キャビネットの前面を開閉する外扉に形成されたディスプレイ室内に配設され、複数の商品見本を嵌合保持する嵌合部が形成されたステージを有するディスプレイ台を備えた自動販売機の商品見本展示装置において、前記ディスプレイ台のステージの前方域に前記ステージに形成された嵌合部に嵌合保持される商品見本とは異なる商品見本を自立させて展示する係止部を備えたことを特徴とする自動販売機の商品見本展示装置。
【請求項２】
請求項１に係る自動販売機の商品見本展示装置において、係止部は少なくとも商品見本の冷温情報を表示する商品情報表示部材の上方領域を覆う態様で前記ディスプレイ台のステージの前方域に突出してなることを特徴とする自動販売機の商品見本展示装置。
【請求項３】
請求項１に係る自動販売機の商品見本展示装置において、前記ディスプレイ台は外扉若しくは外扉に開閉自在に取付けられた中扉に係止固定されることを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図１３を用いて説明する。図１３は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出機構を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
前記外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の立体状商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各立体状商品見本８０に対応して左右に一列に並べて設けた商品選択ボタン９０１を有している。さらに、外扉２０の前面には、硬貨識別装置２０７に連通する硬貨投入口２０１、紙幣識別装置２０８に連通する紙幣挿入口２０２、返却レバー２０３、ロック付ハンドル２０４、硬貨返却口２０５、および商品取出口２０６などが設けられている。
【０００４】
前記ディスプレイ台７０は、良く知られているように、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には立体状商品見本８０を嵌合保持する嵌合部が左右方向に複数並設されている。
【０００５】
前記立体状商品見本８０は硬質の光透過材料により形成された中空状の本体部に商品のデザインが施されるとともに当該本体部の底面に光導入部を設けられている。前記立体状商品見本８０は当該本体部の底面の光導入部の周囲に設けた係合部を前記ディスプレイ台７０に形成した嵌合部に嵌合保持されるように構成されている。これにより、ディスプレイ台７０に形成した嵌合部に合致した係合部を有する商品見本８０、すなわち、指定の商品見本８０のみを展示可能とし、指定以外の商品見本が展示されるのを防止している。前記立体状商品見本８０は立体、具体的には、缶，瓶，ペットボトルなどの容器形状に一致させた中空状の本体部を備えた商品見本、前記中空状の本体部を縦方向に半分に切断してコストの低減を図った半割り状の商品見本などが一般的であるが、商品見本の更なるコスト低減を図るため、例えば、半割り状の商品見本を薄いフィルム状の光透過材料により形成した商品見本も出現している。ところが、この薄いフィルム状の光透過材料からなる商品見本は、前述したディスプレイ台７０の嵌合部に嵌合させて自立させることができない。そこで、薄いフィルム状の光透過材料からなる半割り状の商品見本の底板を挟持して自立させるとともにディスプレイ台７０の嵌合部に着脱自在な商品見本展示用アタッチメントを用いて展示するものが知られている（例えば、特許文献１）。
【先行技術文献】
【特許文献】
【０００６】
【特許文献１】特開２００４−２４０６０３号公報
【発明の概要】
【発明が解決しようとする課題】
【０００７】
上記特許文献１に記載された自動販売機の商品見本展示装置によれば、ディスプレイ台７０の嵌合部に嵌合させることができない、例えば、薄いフィルム状の光透過材料により形成された半割り状の商品見本も商品見本展示用アタッチメントを用いれば自立させてディスプレイ台７０に展示することができ、ディスプレイ台７０の嵌合部に直接嵌合させて展示可能な従前の商品見本８０と並べて展示、若しくは選択的に展示できる点ですぐれている。
【０００８】
ところで、ディスプレイ台７０の嵌合部に嵌合させることができない薄いフィルム状の光透過材料により形成された割り状の商品見本はコストの低減を図ったものであるが、これを展示するために商品見本展示用アタッチメントを採用するとコストが相殺されてしまうおそれがあり、また、ディスプレイ台７０には左右方向に複数の商品見本が展示されるとともにディスプレイ台７０が上下方向に複数段配設されることから多数の商品見本展示用アタッチメントを用意せねばならないという課題を有する。
【０００９】
そこで、本発明は上記の点に鑑みなされたものであり、その目的は前記課題を解決し、商品見本展示用アタッチメントを用いることなく複数種類の商品見本をディスプレイ台に展示可能な自動販売機の商品見本展示装置を提供することにある。
【課題を解決するための手段】
【００１０】
上記目的を達成するため請求項１に係る発明は、本体キャビネットの前面を開閉する外扉に形成されたディスプレイ室内に配設され、複数の商品見本を嵌合保持する嵌合部が形成されたステージを有するディスプレイ台を備えた自動販売機の商品見本展示装置において、前記ディスプレイ台のステージの前方域に前記ステージに形成された嵌合部に嵌合保持される商品見本とは異なる商品見本を自立させて展示する係止部を備えたことを特徴とする。
【００１１】
また、請求項２に係る発明は、請求項１に係る自動販売機の商品見本展示装置において、係止部は少なくとも商品見本の冷温情報を表示する商品情報表示部材の上方領域を覆う態様でディスプレイ台のステージの前方域に突出してなることを特徴とする。
【００１２】
また、請求項３に係る発明は、請求項１に係る自動販売機の商品見本展示装置において、前記ディスプレイ台は外扉若しくは外扉に開閉可能に支持された中扉に係止固定されることを特徴とする。
【発明の効果】
【００１３】
本発明の請求項１に係る自動販売機の商品見本展示装置によれば、本体キャビネットの前面を開閉する外扉に形成されたディスプレイ室内に配設され、複数の商品見本を嵌合保持する嵌合部が形成されたステージを有するディスプレイ台を備えた自動販売機の商品見本展示装置において、前記ディスプレイ台のステージの前方域に前記ステージに形成された嵌合部に嵌合保持される商品見本とは異なる商品見本を自立させて展示する係止部を備えたことにより、ディスプレイ台のステージの形成した嵌合部に嵌合させて自立させることのできない商品見本であっても商品見本展示用アタッチメントを用いることなくディスプレイ台に自立させて展示することができ、異なる種類の商品見本を選択的に展示することが可能となる。
【００１４】
また、請求項２に係る発明によれば、請求項１に係る自動販売機の商品見本展示装置において、係止部は少なくとも商品見本の冷温情報を表示する商品情報表示部材の上方領域を覆う態様でディスプレイ台のステージの前方域に突出してなることにより、係止部は商品情報表示部材の上動を阻止するストッパとして機能し、商品情報表示部材の脱落を防止することが可能となる。
【００１５】
また、請求項３に係る発明によれば、請求項１に係る自動販売機の商品見本展示装置において、前記ディスプレイ台は外扉若しくは外扉に開閉可能に支持された中扉に係止固定されることにより、ディスプレイ台を外扉に取付ける顧客仕様および前記ディスプレイ台を中扉に取付ける顧客仕様にも対応することが可能となる。
【図面の簡単な説明】
【００１６】
【図１】本発明の実施の形態１に係る自動販売機の外扉に形成されたディスプレイ室の要部斜視図である。
【図２】図１のディスプレイ台を示す要部斜視図である。
【図３】図２に示したディスプレイ台に加えて商品情報表示部材，ホルダーを共に示す分解斜視図である。
【図４】商品載置台、ブラケットおよび押え金具の拡大斜視図である。
【図５】図３に示したホルダーの取付状態を示し、（ａ）はホルダーを取付金具に取り付けた状態の側面図、（ｂ）は（ａ）の分解図である。
【図６】図２のディスプレイ台への商品見本の取付けを示し、（ａ）はフィルム状の商品見本を取付けたディスプレイ台（商品載置台）の側面図、（ｂ）は（ａ）の下方から見た斜視図、（ｃ）はフィルム状の商品見本の底面図、（ｄ）は立体状の商品見本を取付けたディスプレイ台（商品載置台）の側面図である。
【図７】本発明の実施の形態２に係る自動販売機の商品見本展示装置に係るディスプレイ台を示し、（ａ）はディスプレイ台を中扉に係止固定した状態の要部斜視図、（ｂ）は（ａ）の分解図である。
【図８】図７に示したディスプレイ台の分解斜視図である。
【図９】図８に示した商品載置台およびブラケットの拡大斜視図である。
【図１０】本発明の実施の形態３に係る自動販売機の商品見本展示装置に係るディスプレイ台を示す要部斜視図である。
【図１１】図１０に示したディスプレイ台に加えて商品情報表示部材を示す分解斜視図である。
【図１２】図１０に示した商品載置台の拡大斜視図である。
【図１３】本発明が対象とする自動販売機の一例を示し、（ａ）はその正面図、（ｂ）は外扉を開放した状態の斜視図である。
【発明を実施するための形態】
【００１７】
以下、本発明の実施の形態に係る自動販売機の商品見本展示装置について添付図面を参照して説明する。ここで、本発明の実施の形態に係る自動販売機の商品見本展示装置が従来装置と相違する点は特にディスプレイ台の周辺であるので、ここでは従来装置と相違するディスプレイ台の周辺について説明することとし、また、自動販売機の全体構成は図１３に示したものと同一であるので適宜図１３を参照しつつ説明を行う。
【００１８】
（実施の形態１）
図１において、２０で再び外扉を示し、この外扉２０の前面を覆う透明板４０と図１３に示した中扉６０との間の空間がディスプレイ室５０として形成されている。１は本発明に係るディスプレイ台であり、薄板鋼板製の商品載置台２および左右一対のブラケット３，３とからなり、この実施の形態１では後述するように左右一対のブラケット３，３を外扉２０に係止固定することにより外扉２０側に取付けられている。４は冷温情報，価格情報が表示された商品情報表示部材４であり、この実施の形態では後述するようにディスプレイ台１から分離されてホルダー５（図３参照）により外扉２０に取付けられている。
【００１９】
前記ディスプレイ台１を構成する商品載置台２は、図３に示すように横長平板状で前下がりに傾斜したステージ２１と、当該ステージ２１の左右端縁から背面側に折り曲げられた閉塞壁２０１に連なる左右側壁２２，２２とからなる。前記商品載置台２のステージ２１には、立体状商品見本８１が嵌合係止される複数、この実施の形態１では１０個からなる略楕円形状の嵌合部２３が形成されている。前記ステージ２１には塵埃が溜まるのを防止する抜き穴２１１が形成され、また、ステージ２１に形成した嵌合部２３にそれぞれ対応するステージ２１の下縁にはステージ２１に対して前方域に突出する係止部６０、具体的には図４に示すように左右一対のフック片６１，６１と、このフック片６１，６１の間に形成された挟持片６２からなる係止部６０が形成されている。前記係止部６０は嵌合部２３に嵌合させることのできない薄いフィルム状の光透過材料からなる商品見本８１を係止して自立して展示するものである。
【００２０】
前記商品載置台２の左右側壁２２，２２は、その上縁から直角に折り曲げられた天板部２２０（図４を参照）が前記ステージ２１の閉塞壁２０１の下縁に連ねる態様で形成され、その板面には内側に向って突出する支持軸２２１が設けられている。なお、２２２は左右側壁２２，２２の前縁から内方に向けて折り曲げられたストッパ片である。
【００２１】
前記商品載置台２のステージ２１に形成された略楕円形状の嵌合部２３に嵌合保持される商品見本８０は、良く知られているように光透過材料により中空状に形成された本体部に商品のデザインが施されるとともに当該本体部の下方側がステージ２１の傾斜角度に合わせて斜めにカットされ、かつ、そのカットされた底面に前記嵌合部２３に嵌合する嵌合部が設けられている。
【００２２】
前記商品載置台２とともにディスプレイ台１を構成する左右一対のブラケット３，３は商品載置台２を支持する腕木として機能するものである。この左右一対のブラケット３，３は、図３に示すように、左右対称に形成されているので、ここでは図の右側のブラケット３について図４を参照しつつ説明する。なお、図４において、４００は外扉２０（図７参照）の上部域に開口した窓穴を背面側から覆う透明板４０を取付けるための押え金具である。この種の押え金具４００は特開２０１０−１２８５４９号公報にも開示されているように周知のものであり、透明板４０の周囲を取り囲むように上下左右に設けられ（図４では正面視右側の押え金具を示す）、後端（不図示）が外扉２０の扉枠にねじで固定され、前端のフランジ４０１と外扉２０の窓穴周縁との間に透明板４０を挟持固定するものである。
【００２３】
前記ブラケット３は、図４に示すように、その板面に前記商品載置台２の左右側壁２２，２２に取付けられた支持軸２２１を嵌合支持する異形溝３３が形成されたブラケット本体３１と、ブラケット本体３１の下縁から外方に延在するとともに延在端部を上方に折り曲げられた係止部３２とからなる。前記異形溝３３は、それぞれブラケット本体３１の上縁に開口した深溝からなる前半域の拘束溝部３３２および浅溝からなる後半域のスライド溝部３３１の組み合わせからなる。前記異形溝３３のうち、前半域の拘束溝部３３２は前記支持軸２２１の前後方向への移動を拘束して商品載置台２を展示位置に保持するものであり、拘束溝部３３２の前後方向の寸法ｈは支持軸２２１の径よりも僅かに大きく形成されている。前記異形溝３３のうち、後半域のスライド溝部３３１はその溝縁に沿って前記支持軸２２１の後方への移動をガイドするとともに当該支持軸２２１を回転可能に支えるものである。なお、ブラケット本体３１の後方側上縁には内方を向くフランジ３１１が形成されている。
【００２４】
前記ブラケット３における係止部３２の板面には外方に突出するとともに前方に延在した係止爪３２１が切り起こしにより形成され、また、係止部３２の前端にも同様の係止爪３２１が形成され、前後一対の係合爪３２１，３２１の間にダボ係合孔３２２が穿孔されている。一方、前記ブラケット３が係止固定される押え金具４００の板面には前後一対の係合穴部４１０，４１０が形成され、これらの係合穴部４１０，４１０の間に内側（ディスプレイ室５０内側）に突出するダボ突起４２０が形成されている。前記係合穴部４１０，４１０は前端部に鉛直線方向に切り込んだうえで絞り加工を施したものであり、前記ブラケット３の係止部３２における係合爪３２１が嵌まり込む大きさの凹部を備えるとともにその前方が開口してなるものである。前記押え金具４００には、前後一対の係合穴部４１０，４１０とこれらの係合穴部４１０，４１０の間に設けられたダボ突起４２０の組が、商品見本８２の展示レイアウトに応じて上下方向に複数段設けられている。
【００２５】
ここで、前記ブラケット３は次のようにして押え金具４００に係止固定される。すなわち、前後一対の係止爪３２１，３２１を係合穴部４１０，４１０の凹部に嵌め込んだ状態でブラケット３を前方にスライドさせると前後一対の係止爪３２１，３２１が係合穴部４１０，４１０の開口を貫通して押え金具４００の板面の背後に進入する。この場合、押え金具４００の板面に形成したダボ突起４２０が前記ブラケット３の係止部３２の板面に当接しているので、前後一対の係止爪３２１，３２１が広がるように撓むことによってダボ突起４２０と係止部３２との間にばね力を付与している。そして、前記係止部３２に穿孔したダボ係合孔３２２がダボ突起４２０に到達すると前後一対の係止爪３２１，３２１のばね力によりダボ突起４２０がダボ係合孔３２２に嵌り込む。これによりブラケット３が押え金具４００に係止固定される。
【００２６】
次に、図２に示したディスプレイ台１のディスプレイ室５０への組付けについて説明すると、まず、左右一対のブラケット３，３Ｂを押え金具４００（図４参照）に係止固定する。右側のブラケット３の押え金具４００への係止固定については前述したとおりであり、これに倣って左側のブラケット３も押え金具４００（この場合、左側の押え金具）に係止固定する。次いで、押え金具４００に係止された左右一対のブラケット３，３の上方から商品載置台２を被せるように装着する。この場合、商品載置台２の左右側壁２２，２２に内側に向けて突出する支持軸２２１をブラケット３，３の上縁に開口した異形溝３３に対峙させたうえで、商品載置台２をブラケット３，３に被せる。そして、商品載置台２の左右側壁２２，２２における天板部２２０がブラケット３の上縁に形成したフランジ３１１に当接すると、支持軸２２１が異形溝３３の拘束溝部３３２に嵌合した状態で商品載置台２がブラケット３，３に装着される。この場合、左右側壁２２，２２の天板部２２０がブラケット３のフランジ３１１に当接することにより商品載置台２が支持軸２２１を中心に後傾することが阻止される一方、左右側壁２２，２２のストッパ片２２２，２２２がブラケット３のブラケット本体３１における前縁と当接することにより商品載置台２が支持軸２２１を中心に前傾することが阻止される。このように、支持軸２２１が拘束溝部３３２に嵌合すると商品載置台２がブラケット３に拘束された状態となる。この状態は商品載置台２が商品展示位置にセットされた状態であり、図１に商品展示位置にセットされた商品載置台２を示している。なお、商品載置台２は、ブラケット３の異形溝３３におけるスライド溝部３３１に支持軸２２１を移動させることにより商品載置台２を後傾姿勢に傾倒したメンテナンス位置に保持させることもできるものである。
【００２７】
次に、前記ディスプレイ台１（商品載置台２）から分離された商品情報表示部材４は、図３に示すように左右に二分割されている。この商品情報表示部材４は乳白色（光透過性）のポリカーボネート樹脂により横長帯状に形成されるとともにディスプレイ台１に展示される商品見本８０，８１に対応する冷温情報４１と価格情報４２が横並びに表示された表示領域が上下に区分され、当該上下の表示領域にそれぞれ異なる冷温情報４１と価格情報４２を互いに逆さにして表示してなる。この実施の形態では、右側の商品情報表示部材４の上部の表示領域には「ＨＯＴ」の文字が、そして、下部の表示領域には「ＣＯＬＤ」の文字が互いに逆さまに表示され、左側の商品情報表示部材４の上部の表示領域には「ＣＯＬＤ」の文字が、そして、下部の表示領域には「ＨＯＴ」（図ではホルダー５に隠れて見えない）の文字が互いに逆さまに表示されている。なお、図には明示されていないが、冷温情報４１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。前記冷温情報４１と横並びに表示された価格情報（￥１２０）は白色の背景色に黒色にて印刷されている。なお、４３は隣接する商品情報（冷温情報４１，価格情報４２）との間の上下縁部に形成された凹状の係合溝であり、後述するホルダー５の係止爪５４に係合するものである。
【００２８】
前記商品情報表示部材４が装着されるホルダー５は横長の薄板鋼板製になり、横断面Ｕ字状の保持部５１（図５も参照）が形成されている。この保持部５１の溝幅は、横長帯状の商品情報表示部材４の板厚よりも若干大きく形成されている。前記ホルダー５には保持部５１における前壁の上端から前方に向う庇部５２が形成され、この庇部５２の前縁には３個の係止爪５２１が折り曲げにより下方に向けて形成されている。前記保持部５１の後壁の上端は折返しによりダブルホールドされている。また、前記保持部５１の後壁には切り起こしにより形成された固定片５３が設けられ、この固定片５３にはねじ挿通穴５３１が形成されている。なお、ホルダー５の保持部５１における溝下部には当該溝底の切り起こしにより係止爪５４（図２では保持部５１の下部を円弧状に切り欠いたように見える箇所であり、引出し線を点線で示している）が形成され、この係止爪５４に前述した商品情報表示部材４の上下縁部に形成した係合溝４３が係合することにより商品情報表示部材４が左右方向に移動するのを防止している。
【００２９】
上記構成になるホルダー５は、図５（商品選択ボタンユニット９０を構成する取付金具９１にホルダー５を取り付けた状態の側面断面図）に示すように、商品選択ボタンユニット９０を構成する取付金具９１に取り付けられている。ここで、前記ホルダー５の取り付けに先立ち商品選択ボタンユニット９０について説明すると、この商品選択ボタンユニット９０は、周知のように、商品選択ボタン９０１を組み込んだ樹脂成形品としてなる断面半月状の釦ケース９００に覆われた不図示のベース基板にプリント基板が固定され、このプリント基板には商品選択ボタン９０１により作動するスイッチ素子，販売可能表示用／売切表示用の発光ダイオード，入出力制御用ＩＣ，外部接続用コネクタなどの各種部品が実装されている。前記プリント基板の外部接続用コネクタは背面側に突出しており、前記ベース基板に背面側に突出して形成されたボスに囲繞されており、取付金具９１の背後から制御信号伝送用ハーネスのカプラが接続されるように構成されている。さらに、ベース基板には背面側に突出するとともにインサートナットが埋設されたボスを備え、取付金具９１の背後からねじＳ１を前記ボス内に埋設されたインサートナットに螺合させることにより商品選択ボタンユニット９０が透明板４０に取り付けられる。なお、透明板４０および取付金具９１には前記ベース基板の背後の突出するボスが貫通する貫通穴が形成されているものである。
【００３０】
前記商品選択ボタンユニット９０の取付金具９１は、上部フランジ９１１と下部フランジ９１２を有する略Ｃ字状に形成され、前記下フランジ９１２内には制御信号伝送用ハーネスが引き回されるように構成されているのは周知のとおりである。この実施の形態の取付金具９１は、上フランジ９１１に前述したホルダー５の係止爪５２１が係合する係合孔（不図示）が形成され、下フランジ９１２に前記ホルダー５の固定片５３が当接するストッパ片９１２ａが設けられ、このストッパ片９１２ａにねじ穴（不図示）がタップされている。
【００３１】
次に、前記ホルダー５の商品選択ボタンユニット９０を構成する取付金具９１への取り付けは、ホルダー５の庇部５２の前縁に形成された係止爪５２１を取付金具９１における上フランジ９１１に形成した係合孔（不図示）に嵌め込んだ後、ホルダー５の固定片５３を下フランジ９１２のストッパ片９１２ａに当接させたうえで固定片５３に形成したねじ挿通孔５３１を介して不図示のねじをストッパ片９１２ａに形成したねじ穴に螺合させる。これによりホルダー５が商品選択ボタンユニット９０の取付金具９１に取り付けられる。このように、商品選択ボタンユニット９０の取付金具９１に取り付けられたホルダー５の横断面Ｕ字状の保持部５１に前述した商品情報表示部材４が装着される。前記ホルダー５の保持部５１に商品情報表示部材４を装着すると、商品情報表示部材４に上下に区分された表示領域のうちの上方の表示領域がホルダー５の保持部５１の上方に露出する一方、下方の表示領域が保持部５１に隠れる。
【００３２】
さて、図１に示した商品見本８１、すなわち、ディスプレイ台１を構成する商品載置台２のステージ２１に形成した嵌合部２３に嵌合させることのできない薄いフィルム状の光透過材料からなる商品見本８１およびこの商品見本８１のディスプレイ台１への取付けについて図６を用いて説明する。ここで、商品見本８１はペットボトルの容器を半割りした形状であって、底部側背面を商品載置台２の傾斜したステージ２１に合わせて斜めにカットされ、かつ、図６の（ｂ）に示すように底部に底板８１１を備えてなり、底板８１１には図６の（ｃ）も参照すると分かるように外方に突出する一対の突起８１２，８１２が形成されているものである。なお、図６の（ｄ）は立体状の商品見本８０についてディスプレイ台１を構成する商品載置台２のステージ１１に形成した嵌合部２３に嵌合保持した状態を示している。
【００３３】
前記商品見本８１のディスプレイ台１への取付けは、商品見本８１の底板８１１の後縁を商品載置台２におけるステージ２１の下方（前方）端に形成した左右一対のフック片６１，６１と挟持片６２からなる係止部６０に対峙させたうえで当該商品見本８１の底部側の両端を内側に押圧するように窄ませて底板８１１を下方に凹となるように変形させる。そして、凹となった底板８１１の上方に挟持片６２が位置し、挟持片６２に隣接する左右一対のフック片６１，６１との間の隙間に底板８１１の後縁を位置させたうえで商品見本８１を後方（ステージ側）に押し込む。これにより、挟持片６２が商品見本８１の底板８１１の上方に潜り込む一方、左右一対のフック片６１，６１が底板８１１の下方に潜り込んで挟持片６２と左右一対のフック片６１，６１により底板８１１を挟み込む。商品見本８１を後方に押し込む途中において、底板８１１に形成した突起８１２，８１２がフック片６１，６１のフックに当接すると負荷となって商品見本８１の押し込みの抵抗となるが、その抵抗に打ち勝つ力で商品見本８１を押し込むと底板８１１が撓んで突起８１２，８１２がフックを乗り上げ、突起８１２，８１２がフックを乗り越えると底板８１１の復元力により突起８１２，８１２がフックの背後に落ち込んで係止される。突起８１２，８１２がフックの背後に落ち込む際にクリック感が得られるので突起８１２，８１２がフックの背後に落ち込んで係止されたことを感触により知ることができる。このように、左右一対のフック片６１，６１と挟持片６２とにより底板８１１を挟み込んで挟持することにより商品見本８１は自立して展示される。また、左右一対のフック片６１，６１のフックの背後に突起８１２，８１２が位置することにより商品見本８１が脱落することがなく安定した状態で展示される。なお、商品見本８１のディスプレイ台１への取付けは、商品載置台２をブラケット３，３から取り外した状態、若しくは商品載置台２をメンテナンス位置に後傾姿勢傾倒させた状態で行えばよい。
【００３４】
上述したように商品見本８１を自立して展示させる係止部６０は、商品載置台２の前方域に突出するように構成されており、商品載置台２を商品展示位置にセットした状態ではホルダー５に装着された商品情報表示部材４の上方域を覆うようになる。図６の（ａ）と図６の（ｄ）にはホルダー５に装着された商品情報表示部材４を点線で示しており、これらの図から分かるように係止部６０は商品情報表示部材４の上方域を覆っている。前記ホルダー５に装着された商品情報表示部材４は自動販売機の運搬中の振動などによりホルダー５から上方に飛び出して脱落するおそれがあるので、従前においては商品情報表示部材４を接着テープなどによりホルダー５に固定し、商品情報表示部材４が脱落するのを防止している。かかる点、この実施の形態によれば、係止部６０が商品情報表示部材４の上方域を覆っていることから商品情報表示部材４がホルダー５から飛び出して脱落するのを防止するのを防止する機能を有している。したがって、従前のように、商品情報表示部材４を接着テープで固定して脱落するのを防止する必要がないものである。
【００３５】
前述した本発明の実施の形態１に係る自動販売機の商品見本展示装置によれば、本体キャビネット１０の前面を開閉する外扉２０に形成されたディスプレイ室５０内に配設され、複数の商品見本８０，８１を嵌合保持する嵌合部２３が形成されたステージ２１を有するディスプレイ台１を備えた自動販売機の商品見本展示装置において、前記ディスプレイ台１のステージ２１の前方域に前記ステージ２１に形成された嵌合部２３に嵌合保持される商品見本８０とは異なる商品見本８１を自立させて展示する係止部６０を備えたことにより、ディスプレイ台１のステージ２１に形成した嵌合部に嵌合させて自立させることのできない商品見本８１であっても商品見本展示用アタッチメントを用いることなくディスプレイ台１に自立させて展示することができ、異なる種類の商品見本を選択的に展示することが可能となる。
【００３６】
さらに加えて前述した本発明の実施の形態１に係る自動販売機の商品見本展示装置によれば、係止部６０は少なくとも商品見本８０，８１の冷温情報を表示する商品情報表示部材４の上方領域を覆う態様で前記ディスプレイ台１のステージ２１の前方域に突出してなることにより、係止部６０は商品情報表示部材４の上動を阻止するストッパとして機能し、商品情報表示部材４の脱落を防止することが可能となる。
【００３７】
なお、前述した実施の形態では、商品情報表示体４をディスプレイ台１から分離したものについて説明したが、商品情報表示体４を保持する部材をディスプレイ台１に一体的に構成することもできる。
【００３８】
また、前述した実施の形態では、ディスプレイ台１（商品載置台２ＢＡ）のステージ２１Ｂが前下がりに傾斜したものついて説明したが、これに限らずステージが水平面であるものにも適用できるものであり、前述した実施の形態によりこの発明が限定されるものではない。
【００３９】
（実施の形態２）
図７乃至図９は、本発明の実施の形態２に係る自動販売機の商品見本展示装置に係るディスプレイ台を示し、実施の形態１に係る自動販売機の商品見本展示装置と相違する点はディスプレイ台の周辺であるので、図７乃至図９では実施の形態１と相違するディスプレイ台の周辺について説明することとし、また、自動販売機の全体構成は図１３に示したものと同一であるので適宜図１３を参照しつつ説明を行う。
【００４０】
図７乃至図９に示す実施の形態２のディスプレイ台１Ａが実施の形態１のディスプレイ台１と相違する点は、実施の形態１のディスプレイ台１が外扉２０側に係止固定されているのに対し、実施の形態２のディスプレイ台１Ａが外扉２０に開閉自在に取付けられた中扉６０に係止固定されている点、および係止部６Ａの構成が相違している点であり、その他の構成は略同一である。
【００４１】
図７乃至図９において、６０で中扉を示し、この中扉６０は外扉２０（図１参照）に片開き式にヒンジ結合されるヒンジ金具６１０，６１０と、ヒンジ金具６１０，６１０とは反対側の端部に外扉２０の受け金具に係合・離脱するラッチ金具６２０を備え、ラッチ金具６２０を外扉２０の受け金具に係合させることにより外扉２０に閉止状態でロックされるものである。また、１Ａはディスプレイ台であり、このディスプレイ台１Ａは、薄板鋼板製の商品載置台２Ａおよび左右一対のブラケット３Ａ，３Ａとからなり、この実施の形態２では左右一対のブラケット３Ａ，３Ａを中扉６０に固着することによりディスプレイ台１Ａが中扉６０に係止固定されている。なお、図７では上下方向に３段に配設されたディスプレイ台１Ａを示し、図７の（ｂ）の分解図では、上段および下段のディスプレイ台１Ａを構成するブラケット３Ａ，３Ａが中扉６０に固着された状態を示す一方、中段のブラケット３Ａ，３Ａについては中扉６０から取り外された状態を示している。
【００４２】
前記ディスプレイ台１Ａを構成する商品載置台２Ａは、図８，図９に示すように横長平板状で前下がりに傾斜したステージ２１Ａと、当該ステージ２１Ａの左右端縁から背面側に折り曲げられた左右側壁２２Ａ，２２Ａとからなる。前記商品載置台２Ａのステージ２１Ａには、立体状商品見本８０が嵌合係止される複数の略楕円形状の嵌合部２３Ａが形成されている。前記ステージ２１Ａには塵埃が溜まるのを防止する抜き穴２１１Ａが形成され、また、ステージ２１Ａに形成した嵌合部２３Ａにそれぞれ対応するステージ２１Ａの下縁にはステージ２１Ａに対して前方域に突出する係止部６Ａ、具体的には図９に示すように左右一対のフック片６１Ａ，６１Ａと、このフック片６１Ａ，６１Ａの間に形成された挟持片６２Ａからなる係止部６Ａが形成されている。前記フック片６１Ａ，６１Ａのフックは互いに対向する方向に向けて形成されている。また、挟持片６２Ａは前端がフック片６１Ａ，６１Ａの板面よりも上方に位置するように前上がりに傾斜して形成されている。前記係止部６Ａは嵌合部２３Ａに嵌合させることのできない薄いフィルム状の光透過材料からなる商品見本８１（図１，図２，図６参照）を係止して自立させて展示するものである。なお、実施の形態１では係止片６の左右一対のフック片６１がそれぞれ個別に形成されているのに対し、この実施の形態２では隣接する係止部６Ａの隣り合うフック片６１Ａの基部が一体に形成されている。
【００４３】
前記商品載置台２Ａの左右側壁２２Ａ，２２Ａにはそれぞれ内側に向って突出する円ボス２２１Ａが形成されており、この円ボス２２１Ａは後述するブラケット３Ａに係合するものである。また、前記商品載置台２Ａの左右側壁２２Ａ，２２Ａにはそれぞれ内側に向って折り曲げられた姿勢維持片２２２Ａが切り起こし形成されている。
【００４４】
前記商品載置台２Ａとともにディスプレイ台１を構成する左右一対のブラケット３Ａ，３Ａは商品載置台２Ａを支持する腕木として機能するものである。この左右一対のブラケット３Ａ，３Ａは、図８に示すように、左右対称に形成されているので、ここでは図８の右側のブラケット３Ａについて図９も参照しつつ説明する。
【００４５】
前記ブラケット３Ａは、横断面Ｌ字状に折り曲げ形成された板金製になり、Ｌ字状の両脚片３１，３２の長手方向両縁にはフランジが形成されている。Ｌ字状のブラケット３Ａの一方の脚片３１の板面には前面側に切り起こされた一対の係合爪３１Ａ，３１Ａが離隔して形成されている。この係合爪３１Ａ，３１Ａは中扉６０（図７参照）の所定位置に設けた角穴６０１，６０１に引っ掛けて係止されるものである。また、前記ブラケット３ＡのＬ字状の他方の脚片３２の板面には、前記商品載置台２Ａの左右側壁２２Ａ，２２Ａに形成した円ボス２２１Ａを嵌合保持する円形溝３２Ａが形成されている。この円形溝３２Ａが形成された脚片３２における両フランジの前縁には互いに向き合う舌片３２０Ａ，３２０Ａが形成されている。なお、ブラケット３Ａの一方の脚片３１の前面側に形成された一対の係合爪３１Ａ，３１Ａの間にはねじ挿通穴３１１Ａが形成されている。
【００４６】
次に、ディスプレイ台１Ａの組立てについて説明すると、まず、左右一対のブラケット３Ａ，３Ａをディスプレイ室の中扉６０に取付ける。このブラケット３Ａ，３Ａの中扉６０への取付けは、中扉６０の背面側からブラケット３Ａの他方の脚片３２を中扉６０の所定位置に形成した挿通穴６０２（図７の（ｂ）参照）に挿入した後、一方の脚片３１に切り起しにより形成された係合爪３７１Ａ，３７１Ａを中扉６０の所定位置に設けた角穴６０１，６０１に挿入したうえでブラケット３Ａを中扉６０の内側方向にスライド移動させて係合爪３７１Ａ，３７１Ａを中扉６０に係合させる。この状態で一方の脚片３１に形成したねじ挿通穴３１１Ａを介してねじ止めすることによりブラケット３Ａが中扉６０の所定位置に固着される。なお、中扉６０に設けた挿通穴６０２（図７の（ｂ）参照）はブラケット３Ａの他方の脚片３２のスライド移動が可能な程度に大きさに形成されているものである。
【００４７】
左右一対のブラケット３Ａ，３Ａを中扉６０に固着した状態で、中扉６０の前面に突出するブラケット３Ａ，３Ａの他方の脚片３２，３２の上方から商品載置台２Ａを被せるように装着する。この場合、商品載置台２Ａの左右側壁２２Ａ，２２Ａに内側に向けて突出する円ボス２２１Ａ，２２１Ａが他方の脚片３２，３２に当接するが、前記商品載置台２Ａは薄板鋼板製で形成されていることから前記円ボス２２１Ａ，２２１Ａが他方の脚片３２，３２に当接した状態で商品載置台２Ａの左右側壁２２Ａ，２２Ａの背面側を外側に向けて軽く押し広げることにより左右側壁２２Ａ，２２Ａが外側に撓むので、円ボス２２１Ａ，２２１Ａをブラケット３Ａ，３Ａの他方の脚片３２，３２の板面に乗り移すことができる。円ボス２２１Ａ，２２１Ａをブラケット３Ａ，３Ａの他方の脚片３２，３２の板面に乗り移した状態で商品載置台２Ａを下方へ移動させて円ボス２２１Ａ，２２１Ａが円形溝３２Ａに到達すると左右側壁２２Ａ，２２Ａが復元して円ボス２２１Ａ，２２１Ａが円形溝３２Ａに嵌合する。円ボス２２１Ａ，２２１Ａを円形溝３２Ａに嵌合させると、商品載置台２Ａの左右側壁２２Ａ，２２Ａに内側に向って切り起こし形成した姿勢維持片２２２Ａ，２２２Ａがブラケット３Ａ，３Ａの他方の脚片３２，３２のフランジに当接し、また、商品載置台２Ａにおけるステージ２１Ａの内壁がブラケット３Ａ，３Ａの他方の脚片３２，３２における両フランジの前縁に形成した舌片３２０Ａ，３２０Ａのうちの上方の舌片３２０Ａにも当接する。このように、円ボス２２１Ａ，２２１Ａを円形溝３２Ａに嵌合させることにより商品載置台２Ａの前後方向への移動が規制され、姿勢維持片２２２Ａ，２２２Ａをブラケット３Ａ，３Ａの他方の脚片３２，３２のフランジに当接させることにより商品載置台２Ａの下方への移動が規制され、商品載置台２Ａは商品見本８０，８１（図７参照）を展示する展示位置にセットされる。
【００４８】
さて、商品見本８１（図７参照）、すなわち、ディスプレイ台１Ａを構成する商品載置台２Ａのステージ２１Ａに形成した嵌合部２３Ａに嵌合させることのできない薄いフィルム状の光透過材料からなる商品見本８１のディスプレイ台１への取付けについて図９を用いて説明する。ここで、商品見本８１は、図６に示したものと同様に容器を半割りした形状であって、底部側背面を商品載置台２Ａの傾斜したステージ２１Ａに合わせて斜めにカットされ、かつ、図６の（ｂ）に示すように底部に底板８１１を備えてなり、底板８１１には外方に突出する一対の突起８１２，８１２（図６の（ｃ）参照）が形成されているものである。
【００４９】
前記商品見本８１のディスプレイ台１Ａ（商品載置台２Ａ）への取付けは、商品見本８１の底板８１１の後縁を商品載置台２Ａにおけるステージ２１Ａの下方（前方）端に形成した左右一対のフック片６１Ａ，６１Ａと挟持片６２Ａからなる係止部６Ａに対峙させた後、当該商品見本８１の底板８１１を左右一対のフック片６１Ａ，６１Ａの上に載置したうえで商品見本８１を後方（ステージ２１Ａ側）に押し込む。この場合、挟持片６２Ａの前端がフック片６１Ａ，６１Ａの板面より上方に位置するように前上がりに傾斜しているので、挟持片６２Ａは底板８１１の上方に容易に滑り込む。このように、商品見本８１の底板８１１を左右一対のフック片６１Ａ，６１Ａの上に載置したうえで商品見本８１を後方（ステージ２１Ａ側）に押し込むと、挟持片６２Ａが底板８１１の上方に滑り込むので、挟持片６２Ａと左右一対のフック片６１Ａ，６１Ａとにより底板８１１を上下から挟み込む。そして、商品見本８１を後方に押し込む途中において、底板８１１に形成した突起８１２，８１２がフック片６１Ａ，６１Ａの前縁に当接すると商品見本８１の押し込みの抵抗となるが、その抵抗に打ち勝つ力で商品見本８１を押し込むと底板８１１が撓んで突起８１２，８１２がフック片６１Ａ，６１Ａの上面に乗り上げ、突起８１２，８１２がフックを乗り越えると底板８１１の復元力により突起８１２，８１２がフックの背後に落ち込んで係止される。突起８１２，８１２がフックの背後に落ち込む際にクリック感が得られるので突起８１２，８１２がフックの背後に落ち込んで係止されたことを感触により知ることができる。このように、左右一対のフック片６１Ａ，６１Ａと挟持片６２Ａとにより底板８１１を挟み込んで挟持することにより商品見本８１は自立して展示される。また、左右一対のフック片６１Ａ，６１Ａのフックの背後に突起８１２，８１２が位置することにより商品見本８１が脱落することがなく安定した状態で展示される。なお、図６に示した商品見本８１の底板８１１に設けた突起８１２，８１２は点状に形成されているが、底板８１１の後縁まで延在するレール状に形成することができるものである。
【００５０】
ここで、実施の形態１に示したように、商品情報表示部材４はホルダー５を介して外扉２０に配設された商品選択ボタンユニット９０の取付金具９１に取付けられているものである。そして、図７に示すように商品見本８０，８１を展示する展示位置にセットされたディスプレイ台１Ａ（商品載置台２Ａ）が係止固定された中扉６０を外扉２０に閉止した際、商品載置台２Ａのステージ２１Ａの下縁から前方域に突出する係止部６Ａが、外扉２０側に配設された前記商品情報表示部材４の上方に移動してホルダー５からの脱落を防止するものである。
【００５１】
前述した本発明の実施の形態２に係る自動販売機の商品見本展示装置によれば、本体キャビネット１０の前面を開閉する外扉２０に形成されたディスプレイ室５０内に配設され、複数の商品見本８０，８１を嵌合保持する嵌合部２３Ａが形成されたステージ２１Ａを有するディスプレイ台１Ａを備えた自動販売機の商品見本展示装置において、前記ディスプレイ台１Ａのステージ２１Ａの前方域に前記ステージ２１Ａに形成された嵌合部２３Ａに嵌合保持される商品見本８０とは異なる商品見本８１を自立させて展示する係止部６Ａを備えたことにより、ディスプレイ台１Ａのステージ２１Ａに形成した嵌合部２３Ａに嵌合させて自立させることのできない商品見本８１であっても商品見本展示用アタッチメントを用いることなくディスプレイ台１Ａに自立させて展示することができ、異なる種類の商品見本を選択的に展示することが可能となる。
【００５２】
さらに加えて前述した本発明の実施の形態２に係る自動販売機の商品見本展示装置によれば、係止部６Ａは少なくとも商品見本８０，８１の冷温情報を表示する商品情報表示部材４の上方領域を覆う態様で前記ディスプレイ台１Ａのステージ２１Ａの前方域に突出してなることにより、係止部６Ａは商品情報表示部材４の上動を阻止するストッパとしても機能し、商品情報表示部材４の脱落を防止することが可能となる。
【００５３】
なお、前述した実施の形態２では、商品情報表示体４をディスプレイ台１Ａから分離して外扉２０側に配設したものについて説明したが、商品情報表示体４を保持する部材をディスプレイ台１Ａに一体的に構成することもできる。
【００５４】
（実施の形態３）
図１０乃至図１２は、本発明の実施の形態３に係る自動販売機の商品見本展示装置に係るディスプレイ台を示し、実施の形態１に係る自動販売機の商品見本展示装置と相違する点はディスプレイ台の周辺であるので、図１０乃至図１２では実施の形態１と相違するディスプレイ台の周辺について説明することとし、また、自動販売機の全体構成は図１３に示したものと同一であるので適宜図１３を参照しつつ説明を行う。
【００５５】
図１０に示す実施の形態３のディスプレイ台１Ｂが実施の形態１のディスプレイ台１と相違する点は、実施の形態１のディスプレイ台１が前下がりに傾斜したステージ２１を備えるとともに外扉２０側に係止固定され、かつ、ディスプレイ台１から商品情報表示体４が分離されているのに対し、実施の形態３のディスプレイ台１Ｂが水平面のステージ２１Ｂを備えるとともに中扉６０（図７参照）に係止固定され、かつ、ディスプレイ台１Ｂに商品情報表示体４を保持する部材が一体に形成されている点、および係止部６Ｂの構成が相違している点であり、その他の構成は略同一である。
【００５６】
図１０において、１Ｂでディスプレイ台を示し、このディスプレイ台１Ｂは、薄板鋼板製の商品載置台２Ｂおよび左右一対のブラケット３Ｂ，３Ｂとからなり、この実施の形態２では左右一対のブラケット３Ｂ，３Ｂを、実施の形態２と同様に中扉６０（図７参照）に係止固定されている。
【００５７】
前記ディスプレイ台１Ｂを構成する商品載置台２Ｂは、図１０，図１１に示すように横長平板状で水平面として形成されたステージ２１Ｂと、当該ステージ２１Ｂの左右端縁から背面側に折り曲げられた左右側壁２２Ｂ，２２Ｂとからなる。前記商品載置台２Ｂのステージ２１Ｂには、立体状商品見本８０が嵌合係止される複数の嵌合部２３Ｂが形成されている。前記ステージ２１Ｂには塵埃が溜まるのを防止する抜き穴２１１Ｂが形成されるとともに商品載置台２Ｂの左右両端部にそれぞれ裏面に向けて押し出し形成された突起状の嵌合突起２１２Ｂが設けられている。また、ステージ２１Ｂに形成した嵌合部２３Ｂにそれぞれ対応するステージ２１Ｂの前縁にはステージ２１Ｂに対して前方域に突出する係止部６Ｂ、具体的には図１２に示すように左右一対の嵌合片６１Ｂ，６１Ｂと、この嵌合片６１Ｂ，６１Ｂの間に形成された挟持片６２Ｂからなる係止部６Ｂが形成されている。前記嵌合片６１Ｂ，６１Ｂには前後方向に延在する嵌合溝６１Ｂ１，６１Ｂ１が形成されている。前記係止部６Ｂは嵌合部２３Ｂに嵌合させることのできない薄いフィルム状の光透過材料からなる商品見本８１（図６参照）を係止して自立させて展示するものである。
【００５８】
前記商品載置台２Ｂの左右側壁２２Ｂ，２２Ｂにはそれぞれ内側に向って突出する支持軸２２１Ｂが取付けられている。前記支持軸２２１Ｂは合成樹脂製になり、図１０乃至図１２では前記支持軸２２１Ｂの頭部が示されており、支持軸２２１Ｂの軸部（不図示）は内方に延在するとともに軸部の上端側の周面の一部を削ぎ取って平坦面とした断面Ｄ状に形成されている。また、前記商品載置台２Ｂのステージ２１Ｂから下方に延在する前壁２４Ｂには左右方向に延在する２個の光透過窓２４１Ｂが形成されるとともに前壁２４Ｂの下端を前方側に折り返して形成された保持部２４２Ｂを備えている。この保持部２４２Ｂは前壁２４Ｂとの間に商品情報表示部材４を保持する保持溝を形成する。さらに、図１１から明らかなように、前記商品載置台２Ｂの前壁２４Ｂの左右両端および中央には前記保持部２４２Ｂにより保持された商品情報表示部材４が左右方向にずれるのを防止する係止突起２４３Ｂが形成されている。また、ステージ２１Ｂの前縁から前方域に突出する係止部６Ｂが、前記商品情報表示部材４が上方に移動して脱落を防止する機能を備えているのは実施の形態１と同様である。
【００５９】
前記商品載置台２Ｂとともにディスプレイ台１を構成する左右一対のブラケット３Ｂ，３Ｂは商品載置台２Ｂを支持する腕木として機能するものである。この左右一対のブラケット３Ｂ，３Ｂは、図１１に示すように、左右対称に形成されているので、ここでは図の右側のブラケット３Ｂについて説明する。
【００６０】
前記ブラケット３Ｂには、前記支持軸２２１Ｂを嵌合支持する異形溝３５Ｂが形成され、また、ブラケット３Ｂの上縁には内側を向くようにガイド片３６Ｂが形成され、さらに後縁から内方に延在するフランジ３７Ｂにはディスプレイ室５０の中扉６０（図７参照）に設けた角穴（不図示）に引っ掛けて当該ブラケット３Ｂを定位置に固定する係合爪３７１Ｂ，３７１Ｂが切り起こし形成されている。前記異形溝３５Ｂは、前記支持軸２２１Ｂを回転可能に支える前半域の円弧状溝部３５１Ｂと、前記円弧状溝部３５１Ｂに連ねて後半域に形成され、前記支持軸２２１Ｂの移動を拘束して商品載置台２Ｂを展示位置に保持するスライド溝部３５２Ｂと、前記円弧状溝部３５１Ｂとスライド溝部３５２Ｂとの中間位置からブラケット３Ｂの上縁に切欠き開口した挿脱溝部３５３Ｂとを組み合わせて形成されている。なお、前記円弧状溝部３５１Ｂは支持軸２２１Ｂの軸部より一回り大きく形成され、また、前記スライド溝部３５２Ｂの高さ寸法は支持軸２２１Ｂの直径よりも小さい寸法の断面Ｄ状の軸部に合わせて形成されている。また、ブラケット３Ｂの上縁に内側を向くように形成されたガイド片３６Ｂは異形溝３５Ｂの挿脱溝部３５３Ｂにより前後に２分割されている。
【００６１】
次に、ディスプレイ台１Ｂの組立てについて説明すると、まず、左右一対のブラケット３Ｂをディスプレイ室の中扉６０（図７参照）に取付ける。このブラケット３Ｂの中扉６０への取付けは、ブラケット３Ｂの後端面に切り起しにより形成された係合爪３７１Ｂ，３７１Ｂを中扉６０の所定位置に設けた上下一対の角穴に挿入係止させる。これによりブラケット３Ｂが中扉６０の所定位置に固定される。次いで、中扉６０に固着された左右一対のブラケット３Ｂに対して商品載置台２Ｂを、左右一対のブラケット３Ｂの上方から被せるように装着する。この場合、商品載置台２Ｂの左右側壁２２Ａに内側に向けて突出する支持軸２２１Ｂをブラケット３Ｂの挿脱溝部３５３Ｂに対峙させたうえで、商品載置台２Ｂをブラケット３Ｂに被せる。そして、商品載置台２Ｂのステージ２１Ｂの内壁がブラケット３Ｂのガイド片３６Ｂに当接すると、支持軸２２１Ｂがブラケット３Ｂの異形溝３５Ｂに嵌合した状態で商品載置台２Ｂがブラケット３Ｂに一体化される。この後、商品載置台２Ｂを後方（中扉６０側）にスライドさせる。この場合、商品載置台２Ｂの左右両端部にそれぞれ裏面に向けて押し出し形成された突起状の嵌合突起２１２Ｂがブラケット３Ｂの上縁に形成した前方のガイド片３６Ｂを乗り越えるように商品載置台２Ｂを若干上方に持ち上げた状態で後方にスライド移動させる。前記支持軸２２１Ｂが異形溝３５Ｂのスライド溝部３５２Ｂに移動すると商品載置台２Ｂの左右両端部に形成された突起状の嵌合突起２１２Ｂがブラケット３Ｂの挿脱溝部３５３Ｂに嵌合する。これにより商品載置台２Ｂの前後方向の移動が規制され、商品載置台２Ｂは商品見本８０，８１（図１、図２、図６参照）を展示する展示位置にセットされる。なお、商品見本８１の商品載置台２Ｂの係止部６Ｂへの取付けは後述する。この状態で支持軸２２１Ｂの断面Ｄ状の軸部の平坦面がスライド溝部３５２Ｂの平坦な上縁に対峙し、この場合、前記嵌合突起２１２Ｂがそれぞれのガイド片３６Ｂを乗り越えることができるように、支持軸２２１Ｂの断面Ｄ状の軸部の上端側の平坦面とスライド溝部３５２Ｂの平坦な上縁との間には遊びが形成されている。
【００６２】
この状態で、商品載置台２Ｂの前壁２４Ｂに形成した保持部２４２Ｂに商品情報表示部材４を装着する。この場合、商品情報表示部材４は保持部２４２Ｂの左右側方から係止突起２４３Ｂを乗り越えさせて保持部２４２Ｂの保持溝に挿入したうえで、中央および左右両端の係止突起２４３Ｂ，２４３Ｂの間に位置させる。これにより商品情報表示部材４はディスプレイ台１Ｂの前面に係止保持される。このように、商品載置台２Ｂを商品展示位置にセットするとともに商品載置台２Ｂの前壁２４Ｂの保持部２４２Ｂに商品情報表示部材４を装着したディスプレイ台１Ｂは、実施の形態１と同様に、商品載置台２Ｂに載置された複数の商品見本８０，８１（図１、図２、図６参照。商品見本８１の係止部６Ｂへの取付けは後述する。）を起立姿勢で展示している。そして、ディスプレイ台１Ｂの前面に位置する商品情報表示部材４によりそれぞれの商品見本８０，８１の冷温情報４１（寒色の背景色に白抜きの「ＣＯＬＤ」の文字若しくは暖色の背景色に白抜きの「ＨＯＴ」の文字）および価格情報４２（￥１２０）（図３参照）が表示される。この場合、商品情報表示部材４のおよび冷温情報４１および価格情報４２は商品載置台２Ｂの前壁２４Ｂに形成された光透過窓２４１Ｂの前方に位置しており、ディスプレイ台１Ｂの内部に配設された照明光源（不図示）により照射される。ここで、前記商品情報表示部材４を保持する保持部２４２Ｂは、中扉６０を外扉２０に閉止した場合にディスプレイ室５０の前面を覆う透明板４０の前面に配設された商品選択ボタンユニット９０（図１参照）の背後に位置しており、自動販売機の正面からは商品選択ボタンユニット９０に隠れて見えないようになっている。
【００６３】
ディスプレイ室５０（図１３参照）の清掃，ディスプレイ台１Ｂに展示された商品見本８０，８１（図１、図２、図６参照。商品見本８１の係止部６Ｂへの取付けは後述する。）の交換などのメンテナンス作業を行う際には、本体キャビネット１０から外扉２０を開放した上で、外扉２０に閉止状態でロックされた中扉６０を開放させてディスプレイ台１Ｂを露出させる。そして、展示位置にセットされた商品載置台２Ｂを前方にスライド移動させる。この場合、商品載置台２Ｂの左右両端部にそれぞれ裏面に向けて押し出し形成された突起状の嵌合突起２１２Ｂがブラケット３Ｂの上縁に形成した前方のガイド片３６Ｂを乗り越えるように商品載置台２Ｂを若干上方に持ち上げた状態で前方にスライド移動させる。そうすると、商品載置台２Ｂの左右側壁２２Ｂに設けた支持軸２２１Ｂがブラケット３Ｂの異形溝３５Ｂにおける後半域のスライド溝部３５２Ｂから前半域の円弧状溝部３５１Ｂに移動する。支持軸２２１Ｂが円弧状溝部３５１Ｂに達すると商品載置台２Ｂの前方への移動が阻止されるので、支持軸２２１Ｂが円弧状溝部３５１Ｂ、つまり、メンテナンス位置に到達したことを知ることができる。そこで、商品載置台２Ｂを、支持軸２２１Ｂを支点として前方側に回動させると商品載置台２Ｂがメンテナンス位置で前傾するように傾倒し始める。そして、商品載置台２Ｂの前壁２４Ｂの下端がブラケット３Ｂに当接すると商品載置台２Ｂは前傾姿勢に傾倒した状態に保持される。
【００６４】
前述のように、商品載置台２Ｂを前傾姿勢に傾倒した状態で、中扉６０の拭き作業や商品載置台２Ｂのステージ２１Ｂに溜まった塵埃を払い落とす清掃作業、若しくは商品載置台２Ｂに展示された商品見本８０の交換などのメンテナンス作業が行われる。この場合、商品載置台２Ｂは中扉６０から離れており、また、前傾姿勢に傾倒していることから、そのメンテナンス作業を簡単に行うことができる。清掃や商品見本８０の交換などメンテナンス作業を完了した後は商品載置台２Ｂを元の位置に戻す。この作業は前記と逆の手順、つまり、商品載置台２Ｂを、支持軸２２１Ｂを支点として商品見本８０が起立状態となるように回動させた上で、中扉６０に向けてスライド移動させる。そして、支持軸２２１Ｂをブラケット３Ｂの異形溝３５Ｂにおけるスライド溝部３５２Ｂに嵌合させて商品載置台２Ｂを商品見本８０の展示位置にセットする。
【００６５】
さて、商品見本８１（図６参照）、すなわち、ディスプレイ台１を構成する商品載置台２Ｂのステージ２１Ｂに形成した嵌合部２３Ｂに嵌合させることのできない薄いフィルム状の光透過材料からなる商品見本８１のディスプレイ台１への取付けについて図１２を用いて説明する。ここで、商品見本８１は、図６に示したように、ペットボトルの容器を半割りした形状であって、底部側背面を商品載置台２Ｂの傾斜したステージ２１Ｂに合わせて斜めにカットされ、かつ、図６の（ｂ）に示すように底部に底板８１１を備えてなり、底板８１１には外方に突出する一対の突起８１２，８１２が形成されているものである。
【００６６】
前記商品見本８１のディスプレイ台１Ｂ（商品載置台２Ｂ）への取付けは、商品見本８１の底板８１１の後縁を商品載置台２Ｂにおけるステージ２１Ｂの前縁に形成した左右一対の嵌合片６１Ｂ，６１Ｂと挟持片６２Ｂとからなる係止部６Ｂに対峙させたうえで当該商品見本８１の底部側の両端を内側に押圧するように窄ませて底板８１１を下方に凹となるように変形させる。そして、凹となった底板８１１の上方に挟持片６２Ｂが位置し、挟持片６２Ｂに隣接する左右一対の嵌合片６１Ｂ，６１Ｂとの間の隙間に底板８１１の後縁を位置させたうえで商品見本８１を後方（ステージ２１Ｂ側）に押し込む。これにより、挟持片６２Ｂが商品見本８１の底板８１１の上方に滑り込む一方、左右一対の嵌合片６１Ｂ，６１Ｂが底板８１１の下方に潜り込んで挟持片６２Ｂと左右一対の嵌合片６１Ｂ，６１Ｂにより底板８１１を挟み込む。商品見本８１を後方に押し込む途中において、底板８１１に形成した突起８１２，８１２が嵌合片６１Ｂ，６１Ｂの前縁に当接すると商品見本８１の押し込みの抵抗となるが、その抵抗に打ち勝つ力で商品見本８１を押し込むと突起８１２，８１２が前縁から嵌合片６１Ｂ，６１Ｂの上面に乗り上げるように底板８１１が撓み、突起８１２，８１２が嵌合片６１Ｂ，６１Ｂの上面から嵌合溝６１Ｂ１，６１Ｂ１に到達すると底板８１１の復元力により突起８１２，８１２が嵌合溝６１Ｂ１，６１Ｂ１に落ち込んで係止される。突起８１２，８１２が嵌合溝６１Ｂ１，６１Ｂ１に落ち込む際にクリック感が得られるので突起８１２，８１２が嵌合溝６１Ｂ１，６１Ｂ１に落ち込んで係止されたことを感触により知ることができる。このように、左右一対の嵌合片６１Ｂ，６１Ｂと挟持片６２Ｂとにより底板８１１を挟み込んで挟持することにより商品見本８１は自立して展示される。また、左右一対の嵌合片６１Ｂ，６１Ｂの嵌合溝６１Ｂ１，６１Ｂ１に突起８１２，８１２が位置することにより商品見本８１が脱落することがなく安定した状態で展示される。なお、商品見本８１のディスプレイ台１Ｂ（商品載置台２Ｂ）への取付けは、商品載置台２Ｂを前傾姿勢に傾倒した状態（メンテナンス位置）に移動させることなく商品載置台２Ｂを商品展示位置にセットさせた状態で行うことができる。
【００６７】
なお、図１２において、７００は表示具を示し、この例では可撓性の矩形平板状のプラスチックシートに、「新発売」などの広告文字、若しくはキャラクターなどの形象を印刷した単一表示具として形成された広告表示板７０１を示している。前記広告表示板７０１は、下縁中央から下方に延在するとともに後方に折り曲げられた係止舌片７０２を備え、当該係止舌片７０２に下方に突出する一対の突起７０３，７０３が形成されている。前記係止舌片７０２と当該係止舌片７０２に形成した一対の突起７０３，７０３とは、図６に示した商品見本８１の底板８１１と当該底板８１１に形成した一対の突起８１２，８１２とに相当するものであり、前記広告表示板７０１は係止部６Ｂに装着されるものである。前記広告表示板７０１の係止部６Ｂへの取付けは、前述した商品見本８１の取付けと同様であるので重複する説明は省略するが、当該係止舌片７０２を係止部６Ｂに係止固定することによりディスプレイ台１Ｂに広告表示板７０１を装着することができるものである。前記表示具７００は、広告表示板７０１に限らず、プラスチックシートに、商品のホット状態を表すパターンとして暖色（赤色）の背景色に白抜きの「ＨＯＴ」の文字、若しくはコールド状態を表すパターンとして寒色（青色）の背景色に白抜きの「ＣＯＬＤ」の文字が施された冷温強調板とすることができるものである。また、前記表示具７００は、単一表示具に限らず、複数の係止部６Ｂに跨る連接表示具であってもよいものである。このように、係止部６Ｂには商品見本８１に加えて表示具７００の取付けに兼用することができるものである。この表示具７００は実施の形態１および実施の形態２の係止部６，６Ａにも装着することができる。
【００６８】
前述した本発明の実施の形態３に係る自動販売機の商品見本展示装置によれば、本体キャビネット１０の前面を開閉する外扉２０に形成されたディスプレイ室５０内に配設され、複数の商品見本８０，８１を嵌合保持する嵌合部２３Ｂが形成されたステージ２１Ｂを有するディスプレイ台１Ｂを備えた自動販売機の商品見本展示装置において、前記ディスプレイ台１Ｂのステージ２１Ｂの前方域に前記ステージ２１Ｂに形成された嵌合部２３Ｂに嵌合保持される商品見本８０とは異なる商品見本８１を自立させて展示する係止部６Ｂを備えたことにより、ディスプレイ台１Ｂのステージ２１Ｂに形成した嵌合部２３Ｂに嵌合させて自立させることのできない商品見本８１であっても商品見本展示用アタッチメントを用いることなくディスプレイ台１Ｂに自立させて展示することができ、異なる種類の商品見本を選択的に展示することが可能となる。
【００６９】
さらに加えて前述した本発明の実施の形態３に係る自動販売機の商品見本展示装置によれば、係止部６Ｂは少なくとも商品見本８０，８１の冷温情報を表示する商品情報表示部材４の上方領域を覆う態様で前記ディスプレイ台１Ｂのステージ２１Ｂの前方域に突出してなることにより、係止部６Ｂは商品情報表示部材４の上動を阻止するストッパとしても機能し、商品情報表示部材４の脱落を防止することが可能となる。
【符号の説明】
【００７０】
１，１Ａ，１Ｂ…ディスプレイ台、２，２Ａ，２Ｂ…商品展示台、３，３Ａ，３Ｂ…ブラケット、４…商品情報表示部材、５…ホルダー、１０…本体キャビネット、２０…外扉、２１…ステージ、２２…側壁、２３…嵌合部、３３…異形溝、５０…ディスプレイ室、６，６Ａ，６Ｂ…係止部、６１…フック片、６１Ｂ…嵌合片、６２…挟持片、８０，８１…商品見本、２１１，２１１Ａ，２１１Ｂ…支持軸、２３２Ａ，２４２Ｂ…保持部。
【図１】
2015026354.tif 000003
【図２】
2015026354.tif 000004
【図３】
2015026354.tif 000005
【図４】
2015026354.tif 000006
【図５】
2015026354.tif 000007
【図６】
2015026354.tif 000008
【図７】
2015026354.tif 000009
【図８】
2015026354.tif 000010
【図９】
2015026354.tif 000011
【図１０】
2015026354.tif 000012
【図１１】
2015026354.tif 000013
【図１２】
2015026354.tif 000014
【図１３】
2015026354.tif 000015